(57)【特許請求の範囲】
【請求項１】
左右端縁部に取付部を有する表示デバイスと、
左右縁部に位置決め突起を有し、上下縁部にシャーシ取付部を有するパネル筐体と、
前記パネル筐体の左右縁部に沿ってそれぞれ延在すると共に、前記パネル筐体の位置決め突起に隙間なく嵌合する位置決め孔及びシャーシ締結部が並設されるシャーシ固定部と前記表示デバイスの取付部に固定されるデバイス固定部とを有し、前記表示デバイスがデバイス固定部に固定され前記位置決め孔が前記パネル筐体の位置決め突起に嵌合して前記表示デバイスを前記パネル筐体上に位置決めする取付金具と、
前記表示デバイスを裏側から覆うシャーシと、を備え、
前記シャーシは、左右端部に前記取付金具のシャーシ締結部にねじ止めされる複数の金具取付孔をそれぞれ有すると共に、上下縁部に前記パネル筐体のシャーシ取付部にねじ止めされる複数の筐体取付孔をそれぞれ有し、前記取付金具を介して、位置決めされた前記表示デバイスを前記パネル筐体に固定したことを特徴とする表示装置。
【請求項２】
前記表示デバイスは、サイドマウント型であり、前記表示デバイスの取付部は、該表示デバイスの左右側面に設けられた取付ネジ穴であり、前記取付金具のデバイス固定部は、デバイス取付面に設けられ前記取付ネジ穴に対応するデバイス取付孔であることを特徴とする請求項１に記載の表示装置。
【請求項３】
前記取付金具のデバイス固定部は、取付部の態様が互いに異なる複数種の表示デバイスに対応して、複数種のデバイス固定部を有することを特徴とする請求項１に記載の表示装置。
【発明の詳細な説明】
【技術分野】
【０００１】
本発明は、液晶表示装置、プラズマディスプレイ等の表示装置に関する。
【背景技術】
【０００２】
従来、表示パネルを取り付けるための被取付部を備えた筐体に、前記被取付部へ固定される取付部を備えた表示パネルを取り付けるための表示パネルの取付構造であって、前記表示パネルと前記筐体との間に介在して両者を固定する取付部材を備え、前記取付部材は、前記表示パネルの前記取付部に固定されるパネル固定部と、前記筐体の前記被取付部に固定される筐体固定部とを備えた表示パネルの取付構造において、前記筐体の前記被取付部はネジが挿通されるネジ孔であり、前記筐体固定部には、前記筐体の前記ネジ孔に対向する位置に、前記筐体固定部と前記筐体とを固定するネジが挿通される孔である筐体固定孔が設けられ、前記パネル固定部には、前記表示パネルの前記取付部に対向する位置に、前記パネル固定部と前記表示パネルとを固定するネジが挿通される孔であるパネル固定孔が設けられ、前記取付部材の前記パネル固定部には、前記取付部の位置が異なる複数種類の表示パネルを固定するための複数のパネル固定孔が穿設されている表示パネルの取付構造が開示されている（例えば、特許文献１参照）。
【０００３】
また、液晶表示素子を、上記液晶表示素子に設けられたキャビネット取付部（ネジ穴）に適合しない位置に液晶表示素子取付部（ボス）を有するキャビネットに取り付けるために用いる液晶表示素子の取付構造（取付穴変換部材）であって、上記液晶表示素子と上記キャビネットとの間に装着され、上記キャビネット取付部（ネジ穴）と上記液晶表示素子取付部（ボス）との位置を適合させる液晶表示素子の取付構造（取付穴変換部材）において、上記液晶表示素子に固定される第１の固定部と、上記キャビネットに固定される第２の固定部とを備え、上記第２の固定部が、上記液晶表示素子に第１の固定部をネジ通し穴を通してネジにより固定した状態で上記液晶表示素子を上記キャビネットに位置合わせしたときに上記液晶表示素子取付部（ボス）に対応する位置に、ネジが嵌合する取付穴を有する液晶表示素子の取付構造（取付穴変換部材）が開示されている（例えば、特許文献２参照）。なお、取付穴変換部材を液晶表示素子に装着するにあたり、位置決めピンと取付穴変換部材に設けられた位置決め穴とで上記液晶素子に対する上記取付穴変換部材の位置決めを行っている。
【先行技術文献】
【特許文献】
【０００４】
【特許文献１】特開２００９−１６９０３４号公報（特許請求の範囲）
【特許文献２】特開２０００−０１００８２号公報（特許請求の範囲、第００３４段落）
【発明の概要】
【発明が解決しようとする課題】
【０００５】
しかしながら、上記特許文献１に開示された従来の技術によれば、取付部材のパネル固定部に設けられたパネル固定穴及び筐体固定部に設けられた筐体固定穴は、穴間ピッチ誤差によるネジとの干渉を避けるために穴径がネジ外径より大きくされている。そのため、パネル固定穴及び筐体固定穴とネジとの間に隙間があり、この隙間分、表示パネルが筐体に対して上下左右にずれて取付けられてしまう、という問題があった。
【０００６】
また、上記特許文献２に開示された従来の技術によれば、取付穴変換部材を液晶表示素子に装着するにあたり、位置決めピンと取付穴変換部材に設けられた位置決め穴とで上記液晶素子に対する上記取付穴変換部材の位置決めを行っている。そのため、ネジの他に位置決めピンを必要とし、製造工程及び部品管理が複雑になる、という問題があった。
【０００７】
本発明は、上記に鑑みてなされたものであって、表示パネル（表示デバイス）が筐体に対して上下左右にずれることが少なく、製造工程及び部品管理が複雑になることのない表示装置を得ることを目的とする。
【課題を解決するための手段】
【０００８】
上述した課題を解決し、目的を達成するために、本発明は、左右端縁部に取付部を有する表示デバイスと、左右縁部に位置決め突起を有し、上下縁部にシャーシ取付部を有するパネル筐体と、前記表示デバイスの取付部に固定されるデバイス固定部と前記パネル筐体の位置決め突起に隙間なく嵌合する位置決め孔及びシャーシ締結部を設けたシャーシ固定部とを有し、前記表示デバイスがデバイス固定部に固定され前記位置決め孔が前記パネル筐体の位置決め突起に嵌合して前記表示デバイスを前記パネル筐体上に位置決めする取付金具と、左右縁部に前記取付金具のシャーシ締結部が締結され、上下縁部が前記パネル筐体のシャーシ取付部に固定され、前記表示デバイスを裏側から覆うシャーシと、を備えることを特徴とする。
【発明の効果】
【０００９】
本発明によれば、パネル筐体が位置決め突起を有し、取付金具が位置決め突起に隙間なく嵌合する位置決め孔を有するので、表示デバイスがパネル筐体に対して上下左右にずれることが少なく、製造工程及び部品管理が複雑になることのない表示装置が得られる、という効果を奏する。
【図面の簡単な説明】
【００１０】
【図１−１】図１−１は、本発明に係る表示装置の実施の形態１を示す斜視図である。
【図１−２】図１−２は、実施の形態１の表示装置を示すカバーを取外した状態の斜視図である。
【図２−１】図２−１は、実施の形態１のパネル筐体を示す斜視図である。
【図２−２】図２−２は、実施の形態１のパネル筐体のネジ台座を示す図２−１のＡ部拡大図である。
【図２−３】図２−３は、実施の形態１のパネル筐体の位置決め突起を示す図２−１のＢ部拡大図である。
【図３−１】図３−１は、実施の形態１の表示デバイスを示す斜視図である。
【図３−２】図３−２は、実施の形態１の表示デバイスの取付孔を示す図３−１のＣ部拡大図である。
【図４−１】図４−１は、実施の形態１の取付金具を示す斜視図である。
【図４−２】図４−２は、実施の形態１の取付金具の取付状態を示す斜視図である。
【図５】図５は、実施の形態１のシャーシを示す斜視図である。
【図６】図６は、本発明に係る表示装置の実施の形態２を示すカバーを取外した状態の斜視図である。
【図７−１】図７−１は、実施の形態２のパネル筐体を示す斜視図である。
【図７−２】図７−２は、実施の形態２のパネル筐体の位置合わせ突起を示す図７−１のＤ部拡大図である。
【図８−１】図８−１は、実施の形態２の表示デバイスを示す斜視図である。
【図８−２】図８−２は、実施の形態２の表示デバイスの取付穴を示す図８−１のＥ部拡大図である。
【図９】図９は、実施の形態２の取付金具を示す斜視図である。
【図１０】図１０は、実施の形態３の取付金具を示す斜視図である。
【発明を実施するための形態】
【００１１】
以下に、本発明に係る表示装置の実施の形態を図面に基づいて詳細に説明する。なお、この実施の形態によりこの発明が限定されるものではない。
【００１２】
実施の形態１．
図１−１は、本発明に係る表示装置の実施の形態１を示す斜視図であり、図１−２は、実施の形態１の表示装置を示すカバーを取外した状態の斜視図である。図１−１及び図１−２に示すように、実施の形態１の表示装置９１は、外周部に低い側壁１ｇ、１ｈ、１ｉ、１ｊを有する矩形のパネル筐体１と、表示デバイス２を制御する制御回路を実装したプリント基板５が搭載され、パネル筐体１を裏側から覆うようにパネル筐体１にネジ止め固定された矩形板状のシャーシ４と、左右に取付金具３（図４−１参照）が固定されシャーシ４の内側で取付金具３を介してパネル筐体１上に位置決め固定された表示デバイス２と、表示装置９１の上述の部材を覆い、パネル筐体１の外周部にネジ止めされた矩形箱型のカバー７と、を備えている。
【００１３】
図２−１は、実施の形態１のパネル筐体を示す斜視図であり、図２−２は、実施の形態１のパネル筐体のネジ台座を示す図２−１のＡ部拡大図であり、図２−３は、実施の形態１のパネル筐体の位置決め突起を示す図２−１のＢ部拡大図である。
【００１４】
図２−１〜図２−３に示すように、パネル筐体１は、実施の形態１の表示装置９１を図示しない制御盤等に取付けるための取付枠であり、合成樹脂や金属等の剛性を有する材料により額縁形に形成されている。パネル筐体１は、表示デバイス２の画面を露出させる矩形の開口部１ｆと、表示デバイス２の側部を囲む左右の側壁１ｇ、１ｈと、上下の側壁１ｉ、１ｊと、を有している。
【００１５】
パネル筐体１の、上下縁部としての、上下の側壁１ｉ、１ｊの内側には、シャーシ４をネジ止めするための、シャーシ取付部としての、夫々複数のネジ台座１ａが設けられている。パネル筐体１の、左右縁部としての、左右の側壁１ｇ、１ｈの内側には、取付金具３を位置決めするための夫々複数の位置決め突起１ｂが設けられている。
【００１６】
図３−１は、実施の形態１の表示デバイスを示す斜視図であり、図３−２は、実施の形態１の表示デバイスの取付孔を示す図３−１のＣ部拡大図である。図３−１及び図３−２に示すように、表示デバイス２は、矩形板状に形成され、左右端縁部には、表示デバイス２を取付金具３に取付けるための取付部としての４個の取付孔２ｄと、同じく取付部としての、孔間ピッチが大きい４個の取付孔２ｄｄとが設けられている。取付金具３のデバイス取付ネジ孔３ｄ（図４−１参照）の孔間ピッチに応じて、取付孔２ｄ又は取付孔２ｄｄを利用する。
【００１７】
取付孔２ｄ（又は取付孔２ｄｄ）の孔間ピッチは、表示デバイスにより様々であり、同一サイズの表示デバイスであっても、メーカーにより、取付孔２ｄの孔間ピッチ（取付部の態様）が異なる場合が多い。表示デバイス２の矩形のフレーム２ｆは、金属薄板により形成されており、表示デバイス２が内蔵するＩ／Ｆ回路のグランドと電気的に接続されている。
【００１８】
図４−１は、実施の形態１の固定金具を示す斜視図であり、図４−２は、実施の形態１の固定金具の取付状態を示す斜視図である。図４−１及び図４−２に示すように、取付金具３は、導電性の高い金属製であり、シャーシ固定部３ｆと、シャーシ固定部３ｆに垂直な垂下部３ｇと、を有するアングル形に形成されている。垂下部３ｇの両端の縁部には、シャーシ固定部３ｆと反対側に９０°屈曲するフランジ部３ｈが形成されている。
【００１９】
シャーシ固定部３ｆの両端部には、シャーシ締結部としてのシャーシ締結ネジ孔３ｃが設けられ、シャーシ締結ネジ孔３ｃの中央寄りには、パネル筐体１の位置決め突起１ｂに隙間なく嵌合する位置決め孔３ｂ及び左右方向に隙間なく嵌合する位置決め長孔３ｂｂが設けられている。フランジ部３ｈには、表示デバイス２を取付孔２ｄ及び止めネジ９ｄを介して取付けるデバイス固定部としてのデバイス取付ネジ孔３ｄが設けられている。図示はしないが、フランジ部３ｈの幅を広くし、メーカーにより異なる表示デバイス２の取付孔２ｄの孔間ピッチ（取付部の態様）に対応して、複数種のデバイス固定部としての、孔間ピッチが異なる複数種のデバイス取付ネジ孔３ｄを設ける。
【００２０】
図５は、実施の形態１のシャーシを示す斜視図である。図５に示すように、シャーシ４は、金属板により矩形に形成され、上下縁部を屈曲させて曲げ剛性を高めている。シャーシ４は、上下縁部に、パネル筐体１のシャーシ取付部（ネジ台座１ａ）に固定される夫々複数の筐体取付孔４ａを有し、左右縁部に、取付金具３のシャーシ締結部（シャーシ締結ネジ孔３ｃ）が締結される夫々複数の金具取付孔４ｃを有している。また、シャーシ４は、プリント基板５を搭載するための、複数の基板取付台座４ｆを有している。
【００２１】
実施の形態１の表示装置９１を組立てるときは、パネル筐体１を組立台上に置き、取付金具３の位置決め孔３ｂ及び位置決め長孔３ｂｂをパネル筐体１の位置決め突起１ｂに嵌合し、取付金具３をパネル筐体１上に精密に位置決めする。次に、表示デバイス２の取付孔２ｄを、取付金具３のデバイス取付ネジ孔３ｄに合わせ、表示デバイス２を取付金具３のフランジ面３ｈ上に止めネジ９ｄでネジ止めする。
【００２２】
次に、基板取付台座４ｆ上にプリント基板５を搭載したシャーシ４を、金具取付孔４ｃを介して取付金具３のシャーシ取付ネジ孔３ｃにネジ止めし、筐体取付孔４ａを介してパネル筐体１のネジ台座１ａにネジ止めする。表示デバイス２は、取付金具３及びシャーシ４を介してパネル筐体１にネジ止めされる。
【００２３】
シャーシ４を、広い面積の金属板とし、表示デバイス２のグランドと電気的に接続すると共に表示デバイス２を裏側から覆うことにより、表示デバイス２及び表示装置９１の耐ノイズ性を向上させている。
【００２４】
実施の形態１の表示装置９１は、パネル筐体１が位置決め突起１ｂを有し、取付金具３が位置決め突起１ｂに隙間なく嵌合する位置決め孔３ｂを有するので、表示デバイス２がパネル筐体１に対して上下左右にずれることが少なく、また、製造工程及び部品管理が複雑になることがない。
【００２５】
実施の形態２．
図６は、本発明に係る表示装置の実施の形態２を示すカバーを取外した状態の斜視図である。図６に示すように、実施の形態２の表示装置９２は、外周部に低い側壁２１ｇ、２１ｈ、２１ｉ、２１ｊを有する矩形のパネル筐体２１と、表示デバイス２２を制御する制御回路を実装したプリント基板２５が搭載され、パネル筐体２１を裏側から覆うようにパネル筐体２１にネジ止め固定された矩形板状のシャーシ２４と、左右に取付金具２３（図９参照）が固定されシャーシ２４の内側で取付金具２３を介してパネル筐体２１上に位置決め固定された表示デバイス２２と、表示装置９２の上述の部材を覆い、パネル筐体２１の外周部にネジ止めされる矩形箱型のカバー（図示せず）と、を備えている。
【００２６】
図７−１は、実施の形態２のパネル筐体を示す斜視図であり、図７−２は、実施の形態２のパネル筐体の位置合わせ突起を示す図７−１のＤ部拡大図である。図７−１及び図７−２に示すように、実施の形態２のパネル筐体２１は、実施の形態２の表示装置９２を図示しない制御盤等に取付けるための取付枠であり、合成樹脂や金属等の剛性を有する材料により額縁状に形成されている。パネル筐体２１は、表示デバイス２２の画面を露出させる矩形の開口部２１ｆと、表示デバイス２２の側部を囲む左右の側壁２１ｇ、２１ｈと、上下の側壁２１ｉ、２１ｊと、を有している。
【００２７】
パネル筐体２１の、上下縁部としての、上下の側壁２１ｉ、２１ｊの内側には、シャーシ２４をネジ止めするための、シャーシ取付部としての、夫々複数のネジ台座２１ａが設けられている。パネル筐体２１の、左右縁部としての、左右の側壁２１ｇ、２１ｈの内側には、取付金具２３（図９参照）を位置決めするための夫々複数の位置決め突起２１ｂが設けられている。実施の形態２のパネル筐体２１の位置決め突起２１ｂは、実施の形態１のパネル筐体１の位置決め突起１ｂに比較し、高い位置に設けられている。
【００２８】
図８−１は、実施の形態２の表示デバイスを示す斜視図であり、図８−２は、実施の形態２の表示デバイスの取付穴を示す図８−１のＥ部拡大図である。図８−１及び図８−２に示すように、実施の形態２の表示デバイス２２は、矩形板状に形成され、表示デバイス２２の矩形のフレーム２２ｆは、金属薄板により形成されており、表示デバイス２２が内蔵するＩ／Ｆ回路のグランドと電気的に接続されている。
【００２９】
実施の形態２の表示デバイス２２は、実施の形態１の表示デバイス２と異なり、表示デバイス２２を取付金具２３に取付けるための、左右端縁部の取付部としての、取付ネジ穴２２ｄが、フレーム２２ｆの側面に設けられている。取付ネジ穴２２ｄが設けられる位置は、表示デバイスにより様々であり、同一サイズの表示デバイスであっても取付ネジ穴２２ｄの孔間ピッチ（取付部の態様）が異なる場合が多い。
【００３０】
図９は、実施の形態２の取付金具を示す斜視図である。図９に示すように、実施の形態２の取付金具２３は、導電性の高い金属製であり、シャーシ固定部２３ｆと、シャーシ固定部２３ｆに垂直な垂下部２３ｇと、を有するアングル形に形成されている。
【００３１】
シャーシ固定部２３ｆには、シャーシ締結部としての複数のシャーシ取付ネジ孔２３ｃ、及び、パネル筐体２１の位置決め突起２１ｂに隙間なく嵌合する位置決め孔２３ｂ及び左右方向に隙間なく嵌合し、位置決め突起２１ｂの突起間ピッチ誤差を吸収する位置決め長孔２３ｂｂが設けられている。垂下部２３ｇには、表示デバイス２２を取付ネジ穴２２ｄを介して取付けるデバイス固定部としてのデバイス取付孔２３ｄ及びデバイス取付長孔２３ｄｄが設けられている。
【００３２】
実施の形態２のシャーシ２４は、実施の形態１のシャーシ４と同一の形態であるので、その詳細な説明は省略する。実施の形態２の表示装置９２を組立てるときは、まず、表示デバイス２２の取付ネジ孔２２ｄを、取付金具２３のデバイス取付孔２３ｄ及びデバイス取付長孔２３ｄｄに合わせ、取付金具２３を表示デバイス２２のフレーム２２ｆ側面にネジ止めする。
【００３３】
次に、パネル筐体２１を組立台上に置き、取付金具２３の位置決め孔２３ｂ及び位置決め長孔２３ｂｂをパネル筐体２１の位置決め突起２１ｂに嵌合し、表示デバイス２２及び取付金具２３をパネル筐体２１上に精密に位置決めする。
【００３４】
次に、プリント基板２５を搭載したシャーシ２４を、金具取付孔２４ｃ（図６参照）を介して取付金具２３のシャーシ取付ネジ孔２３ｃにネジ止めし、筐体取付孔２４ａ（図６参照）を介してパネル筐体２１のネジ台座２１ａ（図７−１参照）にネジ止めする。表示デバイス２２は、取付金具２３及びシャーシ２４を介してパネル筐体１にネジ止めされる。
【００３５】
シャーシ２４を、広い面積の金属板とし、表示デバイス２２のグランドと電気的に接続すると共に、表示デバイス２２を裏側から覆うことにより、表示デバイス２２及び表示装置９２の耐ノイズ性を向上させている。
【００３６】
実施の形態２の表示装置９２は、パネル筐体２１が位置決め突起２１ｂを有し、取付金具２３が位置決め突起２１ｂに隙間なく嵌合する位置決め孔２３ｂを有するので、表示デバイス２２がパネル筐体２１に対して上下左右にずれることが少なく、また、製造工程及び部品管理が複雑になることがない。
【００３７】
実施の形態３．
図１０は、実施の形態３の取付金具を示す斜視図である。図１０に示すように、実施の形態３の取付金具３３が、実施の形態２の取付金具２３と異なるところは、表示デバイス２２に対応するデバイス取付孔２３ｄ及びデバイス取付長孔２３ｄｄに加えて、表示デバイス２２とは取付ネジ穴２２ｄの配置位置（取付部の態様）が異なる表示デバイスに対応するデバイス取付孔３３ｄ及びデバイス取付長孔３３ｄｄ（デバイス固定部）が設けられていることである。
【００３８】
実施の形態３の取付金具３３の他の部分は実施の形態２の取付金具２３と異なるところはない。実施の形態３の取付金具３３によれば、取付ネジ穴２２ｄの配置位置（取付部の態様）が異なる複数種類の表示デバイスに対応することができる。
【符号の説明】
【００３９】
１、２１  パネル筐体
１ａ、２１ａ  ネジ台座（シャーシ取付部）
１ｂ、２１ｂ  位置決め突起
１ｆ、２１ｆ  開口部
１ｇ、１ｈ、１ｉ、１ｊ、２１ｇ、２１ｈ、２１ｉ、２１ｊ  側壁
２、２２  表示デバイス
２ｄ、２ｄｄ  取付孔（取付部）
２２ｄ  取付ネジ穴（取付部）
２ｆ、２２ｆ  フレーム
３、２３、３３  取付金具
３ｂ、２３ｂ  位置決め孔
３ｂｂ、２３ｂｂ  位置決め長孔（位置決め孔）
３ｃ、２３ｃ  シャーシ取付ネジ孔（シャーシ締結部）
３ｄ  デバイス取付ネジ孔（デバイス固定部）
２３ｄ、３３ｄ  デバイス取付孔（デバイス固定部）
２３ｄｄ、３３ｄｄ  デバイス取付長孔（デバイス固定部）
３ｆ、２３ｆ  シャーシ固定部
３ｇ、２３ｇ  垂下部
３ｈ  フランジ部
４、２４  シャーシ
４ａ、２４ａ  筐体取付孔
４ｃ、２４ｃ  金具取付孔
４ｆ  基板取付台座
５、２５  プリント基板
７  カバー
９ｄ  止めネジ
９１、９２  表示装置
【図２−１】
0005812902.tif 000002
【図２−２】
0005812902.tif 000003
【図２−３】
0005812902.tif 000004
【図３−１】
0005812902.tif 000005
【図３−２】
0005812902.tif 000006
【図４−１】
0005812902.tif 000007
【図４−２】
0005812902.tif 000008
【図７−１】
0005812902.tif 000009
【図７−２】
0005812902.tif 000010
【図８−１】
0005812902.tif 000011
【図８−２】
0005812902.tif 000012
【図９】
0005812902.tif 000013
【図１０】
0005812902.tif 000014
【図１−１】
0005812902.tif 000015
【図１−２】
0005812902.tif 000016
【図５】
0005812902.tif 000017
【図６】
0005812902.tif 000018